(57)【特許請求の範囲】
【請求項１】
入り切り可能なセンサを有し、かつ固有のＩＤを持つ複数の送信機と、これらの送信機からセンサを入り切りさせるごとに送信されるＩＤを含む信号を受信することにより、各センサの状態を個別に表示するモニタからなる遠隔モニター装置において、
上記送信機から送信されるＩＤを含む信号は、上記センサの入り又は切りのどちらかの状態を含み、
初期設定時等にモニタに各送信機を登録する際、一定時間内にセンサの入り切りを連続させて、同一のＩＤを含み、なおかつ、上記センサの入り又は切りの状態が異なる信号を各送信機からモニタに連続送信させて登録を行う
ことを特徴とする遠隔モニター装置。
【請求項２】
上記センサが建物の窓もしくは出入り口に設けられ、各窓もしくは出入り口の開閉状態、もしくは施錠状態を検知し上記モニタに送信することによって建物の戸締まりを集中モニタすることを特徴とする請求項１記載の遠隔モニター装置。
【請求項３】
上記センサの入り切りの状態は、各窓もしくは出入り口の閉開の状態、もしくは施錠開錠状態を示すことを特徴とする請求項２記載の遠隔モニター装置。
【請求項４】
上記初期設定時等にモニタに各送信機を登録する際には、登録対象の送信機から最初の上記信号を受信したときに当該送信機のセンサの表示を点滅表示に変え、当該送信機の登録に必要な最後の信号を受信したときには上記状態表示を点灯表示に変えることを特徴とする請求項１乃至３のいずれかに記載の遠隔モニター装置。
【請求項５】
上記初期設定時等にモニタに各送信機を登録する際には、登録対象の送信機から最初の上記信号を受信するまで当該送信機のセンサの表示を点滅表示に変え、上記最初の信号を受信したときに、上記センサの点滅表示の点滅を早くすることを特徴とする請求項４記載の遠隔モニター装置。
【請求項６】
上記初期設定時等にモニタに各送信機を登録する際には、登録対象の送信機から最初の上記信号を受信したときと、当該送信機の登録に必要な最後の信号を受信したときとで異なる報音を行うことを特徴とする請求項１乃至５のいずれかに記載の遠隔モニター装置。
【請求項７】
登録作業時に上記送信機からの信号を受けて上記モニタが音等によってアンサーバックを行い、一つの送信機の登録完了後、該アンサーバックを受けて、次の送信機の登録に移ることを特徴とする請求項１乃至６のいずれかに記載の遠隔モニター装置。
【発明の詳細な説明】
【０００１】
【発明の属する技術分野】
本発明は、例えば、建屋等に設置された遠隔モニター装置に関する。
【０００２】
【従来の技術】
一般に、各々が入り切り可能なセンサを有し、かつ固有のＩＤを持つ複数の送信機と、これらの送信機からセンサを入り切りさせて送信されるＩＤを含む信号を受信することにより、各センサの状態を個別に表示するモニタからなる遠隔モニター装置が知られている。
【０００３】
この種の遠隔モニター装置を建屋に設置した場合、初期設定時には、例えば送信機のＩＤ等をモニタに対し個別に設定登録する。
【０００４】
この設定登録を行う場合、モニタ（受信機）側を登録待機状態にしておいて、送信機側からＩＤを含む信号を送信し、モニタ側ではその受信したＩＤを順に登録する、といった手法が考えられる。
【０００５】
【発明が解決しようとする課題】
しかし、この場合、モニタ側が登録待機中に偶然、別の送信機（例えば、隣接する同様の装置）からの信号を受信した場合、別の送信機のＩＤがモニタに誤って登録されるという問題がある。これを防ぐため、登録時だけ送信機側から特別な信号とＩＤとを送信する方法が提案されているが、この場合、登録時（通常は１回）にのみしか使われない余分な機能や、スイッチ等が必要になり、コストアップになるという問題がある。
【０００６】
また、この種の遠隔モニター装置では、モニタと送信機とが離れた位置にあるのが一般的であり、上記登録作業を行う場合、一人の作業者がこれを行うとなると、送信機側で作業した作業者が、モニタ側に移動してその登録の確認をした後に、再び、別の送信機に移動し、そこで作業した後、再度、モニタ側に移動してその登録を確認する等、登録作業がきわめて困難になり、二人の作業者がモニタと送信機側に分かれて作業を行う場合、声を掛け合って行う等、いずれの場合も登録作業が困難になるという問題がある。
【０００７】
そこで、本発明の目的は、上述した従来の技術が有する課題を解消し、送信機側に余分な機能や、スイッチ等を設けることなく、モニタと送信機とを関連づけて登録することができ、しかもその登録作業を簡単に行うことができる、遠隔モニター装置を提供することにある。
【０００８】
【課題を解決するための手段】
請求項１記載の発明は、入り切り可能なセンサを有し、かつ固有のＩＤを持つ複数の送信機と、これらの送信機からセンサを入り切りさせるごとに送信されるＩＤを含む信号を受信することにより、各センサの状態を個別に表示するモニタからなる遠隔モニター装置において、上記送信機から送信されるＩＤを含む信号は、上記センサの入り又は切りのどちらかの状態を含み、初期設定時等にモニタに各送信機を登録する際、一定時間内にセンサの入り切りを連続させて、同一のＩＤを含み、なおかつ、上記センサの入り又は切りの状態が異なる信号を各送信機からモニタに連続送信させて登録を行うことを特徴とする。
【０００９】
請求項２記載の発明は、請求項１記載のものにおいて、上記センサが建物の窓もしくは出入り口に設けられ、各窓もしくは出入り口の開閉状態、もしくは施錠状態を検知し上記モニタに送信することによって建物の戸締まりを集中モニタすることを特徴とする。
【００１０】
請求項３記載の発明は、請求項２記載のものにおいて、上記センサの入り切りの状態は、各窓もしくは出入り口の閉開の状態、もしくは施錠開錠状態を示すことを特徴とする。
請求項４記載の発明は、請求項１乃至３のいずれかに記載のものにおいて、上記初期設定時等にモニタに各送信機を登録する際には、登録対象の送信機から最初の上記信号を受信したときに当該送信機のセンサの表示を点滅表示に変え、当該送信機の登録に必要な最後の信号を受信したときには上記状態表示を点灯表示に変えることを特徴とする。
請求項５記載の発明は、請求項４記載のものにおいて、上記初期設定時等にモニタに各送信機を登録する際には、登録対象の送信機から最初の上記信号を受信するまで当該送信機のセンサの表示を点滅表示に変え、上記最初の信号を受信したときに、上記センサの点滅表示の点滅を早くすることを特徴とする。
請求項６記載の発明は、請求項１乃至５のいずれかに記載のものにおいて、上記初期設定時等にモニタに各送信機を登録する際には、登録対象の送信機から最初の上記信号を受信したときと、当該送信機の登録に必要な最後の信号を受信したときとで異なる報音を行うことを特徴とする。
請求項７記載の発明は、請求項１乃至６のいずれかに記載のものにおいて、登録作業時に上記送信機からの信号を受けて上記モニタが音等によってアンサーバックを行い、一つの送信機の登録完了後、該アンサーバックを受けて、次の送信機の登録に移ることを特徴とする。
【００１１】
【発明の実施の形態】
以下、本発明の実施の形態を図面に基づいて説明する。
【００１２】
図１は、戸締まり確認システムに適用された遠隔モニター装置を示す。この遠隔モニター装置１は、例えば台所、トイレ、居間、和室、浴室、玄関等に設置された各サッシ１００におけるクレセント３に接続された送信機５と、これら複数の送信機５に無線で接続されたモニタ７とを備えて構成されている。
【００１３】
このモニタ７は、例えば玄関に設置され、複数の送信機５からのクレセント施錠、解錠信号を受信して、各送信機５に対応するサッシ１００の施錠、解錠状態を表示する表示装置９を有する。
【００１４】
この表示装置９は、図２に示すように、ディスプレイ９Ａ上に複数のＬＥＤ１１Ａ、１１Ｂ、１１Ｃ…を備え、各ＬＥＤ１１が、各送信機５に対応して記憶されており、対応する送信機５が施錠された場合、この施錠信号を受信し、これに対応するＬＥＤ１１が赤から緑の点灯に変化する。
【００１５】
図３は、送信機５及びモニタ７のブロック図である。
【００１６】
モニタ７は商用１００Ｖ電源に接続される電源部７１を有し、この電源部７１にＣＰＵ７２、固定ＩＤ記憶メモリ７３、表示装置９を構成する表示部７４及び送受信部７５を接続して構成されている。７６はアンテナ、７７は登録スイッチである。複数の送信機５は同一の構造を有する。各送信機５は電池５１を内蔵し、この電池５１にＣＰＵ５２、ＩＤ・アドレス記憶メモリ５３、リードスイッチ（センサ）５４、及び送受信部５５を接続して構成されている。５６はアンテナである。ここで、上記の登録スイッチ７７は、送信機５のＩＤ等を、モニタ７に対し個別に設定登録する場合に用いられる。上記送信機５は、例えば台所、トイレ、居間、和室、浴室、玄関等の窓という窓すべてに設置されるため、この送信機５の台数は、例えば３０個以上とかなりの数になる。
【００１７】
図７は、遠隔モニター装置１による監視フローを示す。
【００１８】
監視モードがセットされると、モニタ７の登録スイッチ７７（図２）が押されたか否かが判定される（Ｓ３１）。この登録スイッチ７７が押された場合、後述する登録モードに移行し（Ｓ３２）、登録スイッチ７７が押されない場合、受信待機の状態に入り（Ｓ３３）、送信機５側からのデータ受信があった場合（Ｓ３４）、データの照合を実行する（Ｓ３５）。
【００１９】
データ照合の結果、リードスイッチ（センサ）５４がオンからオフに切り替わった場合（Ｓ３６；解錠された状態）、その送信機５に対応する番号のＬＥＤ１１が緑から赤の点灯に変化する（Ｓ３７）。これに対し、データ照合の結果、リードスイッチ（センサ）５４がオフからオンに切り替わった場合（Ｓ３８；施錠された状態）、その送信機５に対応する番号のＬＥＤ１１が赤から緑の点灯に変化する（Ｓ３９）。
【００２０】
このように施錠状態或いは解錠状態が、モニタ７側にＬＥＤ１１表示されるため、戸締まり確認が容易である。
【００２１】
つぎに、図４〜図６を参照して、初期設定時等にモニタ７に各送信機５を登録する手順を説明する。
【００２２】
図４は、登録作業時のモニタ７側の制御フローを示す。登録スイッチ７７（図２）が押された場合（Ｓ１）、登録モードに入りＮ＝１が設定される（Ｓ２）。ここで、Ｎは、図２の送信機の位置Ｎを示し、この位置Ｎは１から開始して３０番目のＬＥＤで終了する。つぎに、Ｎ＞３０が判定され（Ｓ３）、Ｎ＞３０であれば、Ｓ２に戻り、Ｎ＞３０でなければ、該当する番号（Ｎ番目）のＬＥＤ１１が緑色でゆっくりと点滅する（Ｓ４）。ここで、再度、登録スイッチ７７が押されたり（Ｓ５）、登録スイッチ７７が押されないまま所定時間Ｔ１（約２分）が経過したりした場合（Ｓ６）、登録モードから抜け出して、図７に示す監視モードに移行する（Ｓ７）。
【００２３】
Ｓ５とＳ６で、共に「いいえ」の場合、図２の警戒セットスイッチ７８が押されたか否かが判定される（Ｓ８）。
【００２４】
この警戒セットスイッチ７８は、送信機位置（ＬＥＤの番号）をスキップさせるスイッチである。このスイッチが１回押されると、「Ｎ＝Ｎ＋１」（Ｓ９）で、ＬＥＤの番号が一つ増されてＳ３に戻る。Ｓ８で、警戒セットスイッチ７８が押されない場合、図２の警戒リセットスイッチ７９が押されたか否かが判定される（Ｓ１０）。この警戒リセットスイッチ７９は、所定のＬＥＤの番号に対する登録を削除するスイッチである。このスイッチが押されると、Ｎ番の登録が削除され、そのＬＥＤが消灯し（Ｓ１１）、「Ｎ＝Ｎ＋１」（Ｓ１２）で、ＬＥＤの番号が一つ増されてＳ３に戻る。Ｓ８とＳ１０で、共に「いいえ」の場合、図５に示す、▲１▼以降のステップに移行する。
【００２５】
図５は、送信機の登録ステップを示す。
【００２６】
上述のＳ８とＳ１０で、共に「いいえ」の場合、受信待機し（Ｓ１３）、上述のＳ５、Ｓ６と同様に登録スイッチ７７が押されないまま所定時間Ｔ１（約２分）が経過したか否か、或いは登録スイッチ７７が押されたか否か等が判定され（Ｓ１４）、それらが「はい」の場合、図７に示す監視モードに移行する（Ｓ１５）。そして、それらが「いいえ」の場合、Ｓ２６〜Ｓ３４を経て、送信機５から２回に分けて送信されるＩＤ等を含む信号▲２▼▲３▼に応じ、モニタ７が該送信機５とＩＤ等を表す信号とを関連づけて登録する。
【００２７】
２つの信号▲２▼▲３▼は、図６に示すように、送信機５側から送信される。この送信機５側では、電池装着し電源オンした後（Ｓ１６）、送信機の動作確認と、送信機の取り付け位置確認とを行うチェックモードに入る（Ｓ１７）。そして、所定時間（例えば２分間）が経過した後（Ｓ１８）、送信待機し（Ｓ１９）、８時間が経過したか否かが判定され（Ｓ２０）、８時間が経過した場合、その時点でのデータを送信し（Ｓ２１）、Ｓ１９に戻る。
【００２８】
８時間以内の場合、クレセント３が開閉操作され、リードスイッチが切り替わると（Ｓ２２）、▲２▼で示すように、１回目のデータ送信が行われる（Ｓ２３）。このデータには、クレセント施錠、解錠信号のほかに、送信機のＩＤ等を表す信号が含まれる。そして、２分間程度の間隔をあけて、クレセント３が再度、開閉操作されて、リードスイッチが切り替わると（Ｓ２４）、▲３▼で示すように、２回目のデータ送信が行われる（Ｓ２５）。この場合も、データには、施錠、解錠信号のほかに、送信機のＩＤ等を表す信号が含まれる。
【００２９】
２つの信号▲２▼▲３▼は、図５に示すように、モニタ７に対し、Ｓ２６とＳ３２の２回のステップで受信される。
【００３０】
モニタ７側では、Ｓ２６で、１回目の受信があったか否か、すなわち、送信機からＩＤ等を含む信号を受信したか否かが判定され、「いいえ」であれば、受信待機に戻る。１回目の受信があり、「はい」の場合、該当するＮ番目のＬＥＤ１１を緑色で早く点滅させ（Ｓ２７）、図２のブザー１５を１回吹鳴して（Ｓ２８）、受信待機に入る（Ｓ２９）。
【００３１】
ついで、上述のＳ１４と同様に登録スイッチ７７が押されないまま所定時間Ｔ１（約２分）が経過したか否か、或いは登録スイッチ７７が押されたか否か等が判定され（Ｓ３０）、それらが「はい」の場合、図７に示す監視モードに移行する（Ｓ３１）。そして、それらが「いいえ」の場合、１回目の受信とＩＤが同じで、異なるデータを受信した場合、例えば、１回目がクレセント３からの施錠信号で、２回目がクレセント３からの解錠信号であった場合、その送信機５のＩＤ等をモニタ７に登録し、該当するＮ番目のＬＥＤ１１を赤色或いは緑色で点灯させて（Ｓ３３）、ブザー１５を２回吹鳴し（Ｓ３４）、「Ｎ＝Ｎ＋１」（Ｓ３５）で、ＬＥＤの番号が一つ増されてＳ３に戻る。
【００３２】
ブザー１５はアンサーバックとしての音であり、この音は、モニタ７の位置で発せられるが、音量としては、送信機５の位置で作業を行う作業者に聞こえる程度の音量が必要である。作業者は、Ｓ３４で発せられたアンサーバックを頼りに、Ｎ番目のＬＥＤの点灯完了を知り、つぎのＮ＋１番目のＬＥＤに対応する送信機５の登録に移行する。
【００３３】
本実施形態では、登録モードが設定され、モニタ７に対し送信機５のＩＤ等を登録する場合、その登録は送信機５からモニタ７への単方向の送信だけで完了し、作業者は、モニタ７からのアンサーバックを頼りに、つぎの送信機５の登録に移行できるため、作業者がモニタ７の位置と、送信機５の位置との間を行ったり来たりする必要がなく、一人間作業者によって、送信機５のモニタ７への登録を簡単に行うことができる。
【００３４】
また、登録時には、登録モードが設定され、送信機５からモニタ７に対し施錠又は解錠信号を送信すると同時に、送信機５のＩＤ等を表す信号を送信し、この送信操作を、２回に亘って行い、各操作によってモニタ７に送信された信号が比較されて、ＩＤ等を表す信号が同一であり、施錠又は解錠信号の種別が異なった場合に限って、モニタ７が該送信機５とＩＤ等を表す信号とを関連づけて登録する構成としたため、誤設定が防止される。
【００３５】
例えば、１回だけの操作によって、モニタ７が該送信機５とＩＤ等を表す信号とを関連づけて登録する構成とした場合、作業者の誤操作によって、すでにモニタ７に対し登録されていた送信機５に、別の送信機５が重複登録される恐れがあるからである。
【００３６】
本実施形態では、例えばＮｏ．３の送信機５の登録を変更したい場合、以下のように操作する。まず、モニタ７の登録スイッチ７７を押し、モニタ７のＮｏ．１のＬＥＤ１１Ｂを緑色にゆっくり点滅させた後、モニタ７の警戒セットスイッチ７８を押す。すると、Ｎｏ．２のＬＥＤ１１Ｂに点威が移り、再度押すとＮｏ．３のＬＥＤ１１Ｃに点滅が移る。押す毎に点滅が移る。その後、図５のＳ２６〜Ｓ３４を経て、最後に登録スイッチ７７を押すと、Ｎｏ．３の送信機５の登録が変更されて、登録が終了する。
【００３７】
登録を消去したい場合、例えば、Ｎｏ．３の送信機５の登録を消去したい場合、モニタ７の登録スイッチ７７を押す。モニタ７のＮｏ．１のＬＥＤ１１Ａが緑色にゆっくり点滅し、Ｓ８のスキップ操作を繰り返すことによって、Ｎｏ．３のＬＥＤ１１Ｃを点滅状態にする。そして、警戒リセットスイッチ７９を押すと、Ｓ１０〜Ｓ１２のステップを経て、Ｎｏ．３のＬＥＤ１１Ｃが消灯し、次のＮｏ．４のＬＥＤが点滅する。登録スイッチ７７を押すと、Ｎｏ．３の登録が消去され、登録を終了する。
【００３８】
登録の中断は、登録途中において、再度、登録スイッチ７７を押せば、それによっていつでも登録を終了する。それまでに登録を完了した送信機は登録済となるが、最後の送信機は登録されない。
【００３９】
以上、本発明を、上記一実施の形態に基づいて説明したが、本発明はこれに限定されるものではない。
【００４０】
【発明の効果】
本発明は、初期設定時等に、モニタに対し送信機のＩＤ等を登録する場合、その登録は送信機からモニタへの単方向の送信だけで完了するため、送信機のモニタへの登録作業が簡単になる。
【図面の簡単な説明】
【図１】本発明による戸締まり確認システム及びサッシの一実施形態を示す図である。
【図２】モニタの表示装置を示す図である。
【図３】モニタと送信機のブロック図である。
【図４】モニタのフローチャートである。
【図５】モニタのフローチャートである。
【図６】送信機のフローチャートである。
【図７】遠隔モニター装置による監視フローを示すフローチャートである。
【符号の説明】
１  戸締まり確認システム
３  クレセント
５  送信機
７  モニタ
９  表示装置
１１Ａ、１１Ｂ、１１Ｃ…  ＬＥＤ
５４  リードスイッチ（センサ）
７７  登録スイッチ
７８  警戒セットスイッチ
７９  警戒リセットスイッチ
【図１】
0003997064.tif 000002
【図２】
0003997064.tif 000003
【図３】
0003997064.tif 000004
【図４】
0003997064.tif 000005
【図５】
0003997064.tif 000006
【図６】
0003997064.tif 000007
【図７】
0003997064.tif 000008